(57)【要約】【課題】製氷運転および除氷運転に対応して、自動的に水皿が閉成状態と開放状態とに変化する噴射式自動製氷機を提供する。【解決手段】下向きに開口する製氷部１２と、傾動自在に枢支されて製氷部１２を開閉する水皿１４と、前記水皿１４の下側に配設され、製氷水を噴射供給する製氷水ノズル部１６と、前記製氷水ノズル部１６の下方に配設され、製氷水を貯留する製氷水タンク１８とを備える。前記水皿１４内に、製氷水の外部水源からの給水経路として機能する給水空間１５を画成する。常には製氷部１２を閉成する姿勢に前記水皿１４を保持し、前記給水空間１５内に水が流通して水皿１４の重量が一定値以上となった場合には製氷部１２を開放する姿勢に前記水皿１４を移行させる水皿開閉手段２０を備える。【選択図】図２
2009127943.tif 000002
【特許請求の範囲】
【請求項１】
下向きに開口する製氷部(12)と、傾動軸(14a)に枢支されて製氷部(12)を下方から閉成する閉成位置および製氷部(12)から下方へ離間した開放位置に傾動自在な水皿(14)と、前記水皿(14)の下方に配設され、該水皿(14)に設けられた連通孔(14b)を介して製氷部(12)内に製氷水を噴射供給する製氷水ノズル部(16)とを備え、前記水皿(14)を閉成位置に保持した状態で製氷水ノズル部(16)から製氷水を前記製氷部(12)に噴射供給して氷塊(I)を生成するようにした噴射式自動製氷機において、
前記水皿(14)内に画成され、給水手段(WV)から供給される水が貯留可能な貯留部(15)と、
常には前記水皿(14)を閉成位置に向けて付勢し、前記貯留部(15)内に貯留されて増大する水の重量により、前記水皿(14)が付勢力に抗して開放位置へ傾動させる水皿開閉手段(20)とを備える
ことを特徴とする噴射式自動製氷機。
【請求項２】
前記水皿(14)には、前記貯留部(15)に供給される水の流量を較べて少ない水を排出する排水口(15a)が、該貯留部(15)に連通して設けられる請求項１記載の噴射式自動製氷機。
【請求項３】
前記水皿開閉手段(20)は、前記水皿(14)における傾動軸(14a)の枢支部から離間する位置に設けられた摺動部(14c,14c)と、回動軸(24)に回動自在に枢支され、該回動軸(24)を挟む一方の端部側に設けられて前記摺動部(14c,14c)が摺動可能に係合する係合部(22,22)を有する開閉部材(21)と、前記開閉部材(21)における回動軸(24)を挟む他方の端部側に設けられ、前記係合部(22,22)を介して前記摺動部(14c,14c)を上方に押し上げて前記水皿(14)を閉成位置に向けて付勢するように前記開閉部材(21)を回動する重し部(26)とを備え、前記重し部(26)は、前記貯留部(15)内に貯留された水の重量が水皿(14)に加わったときに、該水皿(14)が開放位置へ傾動するのを許容する重量に設定されている請求項１または２記載の噴射式自動製氷機。
【請求項４】
前記製氷水ノズル部(16)に、前記水皿(14)の連通孔(14b)に対応する位置において上方に突出して該連通孔(14b)に挿入可能な噴射ノズル(17)を設け、該噴射ノズル(17)には、前記水皿(14)が閉成位置から開放位置に傾動する際に、前記連通孔(14b)に挿入されるようにされ、前記水皿(14)上に氷結した氷塊(I)を噴射ノズル(17)で押し上げるようにした請求項１〜３の何れか一項に記載の噴射式自動製氷機。
【発明の詳細な説明】
【技術分野】
【０００１】
この発明は、モータ等の駆動手段を用いることなく水皿を傾動させ得るようにした噴射式自動製氷機に関するものである。
【背景技術】
【０００２】
噴射式自動製氷機の基本的な構成は、例えば、特許文献１に開示されるように、下方に開口する多数の製氷小室が画成された製氷部の上面に、冷凍系に連通する蒸発管が密着的に蛇行配置され、製氷運転時に蒸発管に冷媒を循環させて製氷小室を強制冷却するようになっている。製氷部の直下には、所定量の製氷水を貯留する製氷水タンクを備えた水皿が、支軸により傾動可能に枢支されている。水皿および製氷水タンクは、製氷運転時には水平な閉成位置に保持されて製氷小室を下側から閉成し、除氷運転時には電動モータにより付勢されて支軸を中心として傾動し、製氷小室を開放する開放位置に保持されるようになっている。また水皿には、製氷小室の夫々と対応位置して、噴射孔が多数穿設されており、製氷運転に際して製氷水タンクに設けたポンプを作動することで、製氷水が水皿に圧送されて各噴射孔から冷却されている対応の製氷小室に噴射されて、該製氷小室内に氷塊を生成するよう構成されている。
【特許文献１】特開２００３−２２７６６７号公報
【発明の開示】
【発明が解決しようとする課題】
【０００３】
しかし前述した構成の製氷機においては、製氷運転と除氷運転とを繰り返す毎に、電動モータによって水皿を開放位置と閉成位置とに動かす必要があるため、電力消費量が嵩む問題がある。また、電動モータによって傾動される水皿は、製氷水を貯留する製氷水タンクと一体的に構成されているために重く、高出力で大型のモータを採用する必要があり、コストが嵩むと共に、配置スペースの増大を招く問題も内在していた。
【０００４】
すなわち本発明は、従来の技術に係る噴射式自動製氷機に内在する前記課題に鑑み、これらを好適に解決するべく提案されたものであって、モータ等の駆動手段を用いることなく、水皿が開閉し得る噴射式自動製氷機を提供することを目的とする。
【課題を解決するための手段】
【０００５】
前記課題を克服し、所期の目的を達成するため、本願の請求項１に係る発明の噴射式自動製氷機は、
下向きに開口する製氷部と、傾動軸に枢支されて製氷部を下方から閉成する閉成位置および製氷部から下方へ離間した開放位置に傾動自在な水皿と、前記水皿の下方に配設され、該水皿に設けられた連通孔を介して製氷部内に製氷水を噴射供給する製氷水ノズル部とを備え、前記水皿を閉成位置に保持した状態で製氷水ノズル部から製氷水を前記製氷部に噴射供給して氷塊を生成するようにした噴射式自動製氷機において、
前記水皿内に画成され、給水手段から供給される水が貯留可能な貯留部と、
常には前記水皿を閉成位置に向けて付勢し、前記貯留部内に貯留されて増大する水の重量により、前記水皿が付勢力に抗して開放位置へ傾動させる水皿開閉手段とを備えることを特徴とする。
従って、請求項１に係る発明によれば、水皿内に貯留した水の重量によって水皿を自動的に開放するようにしたから、該水皿を駆動する電動モータ等が不要となり、ランニングコストおよび製造コストを低廉とし得る。
【０００６】
請求項２に係る発明では、前記水皿には、前記貯留部に供給される水の流量を較べて少ない水を排出する排水口が、該貯留部に連通して設けられることを要旨とする。
従って、請求項２に係る発明によれば、水皿に排水口を設けるだけの簡単な構成で、貯留部に水を貯留したり、排出したりし得るから、給水手段の開閉によって水皿を自動的に開閉作動させ得る。
【０００７】
請求項３に係る発明では、前記水皿開閉手段は、前記水皿における傾動軸の枢支部から離間する位置に設けられた摺動部と、回動軸に回動自在に枢支され、該回動軸を挟む一方の端部側に設けられて前記摺動部が摺動可能に係合する係合部を有する開閉部材と、前記開閉部材における回動軸を挟む他方の端部側に設けられ、前記係合部を介して前記摺動部を上方に押し上げて前記水皿を閉成位置に向けて付勢するように前記開閉部材を回動する重し部とを備え、前記重し部は、前記貯留部内に貯留された水の重量が水皿に加わったときに、該水皿が開放位置へ傾動するのを許容する重量に設定されていることを要旨とする。
従って、請求項３に係る発明によれば、開閉部材に重し部を設けることにより、簡単な構成で水皿を自動的に開閉作動させ得る。
【０００８】
請求項４に係る発明では、前記製氷水ノズル部に、前記水皿の連通孔に対応する位置において上方に突出して該連通孔に挿入可能な噴射ノズルを設け、該噴射ノズルには、前記水皿が閉成位置から開放位置に傾動する際に、前記連通孔に挿入されるようにされ、前記水皿上に氷結した氷塊を噴射ノズルで押し上げるようにしたことを要旨とする。
従って、請求項４に係る発明によれば、水皿に氷結した氷塊を、下方から噴射ノズルが押し上げて好適に離脱させ得る。
【発明の効果】
【０００９】
本発明に係る噴射式自動製氷機によれば、モータ等の駆動手段を不要として、ランニングコストおよび製造コストを低廉に押さえることができる。
【発明を実施するための最良の形態】
【００１０】
次に、本発明に係る噴射式自動製氷機につき、好適な実施例を挙げて、添付図面を参照して以下に説明する。
【実施例】
【００１１】
図１に示すように、実施例に係る噴射式自動製氷機(以下、単に製氷機と云う)１０は、氷塊Ｉを生成する製氷機構１１と、この製氷機構１１を冷却する圧縮機(図示せず)および蒸発管３０等を備える冷凍機構と、各機器を制御する制御手段(図示せず)とを備え、製氷運転および除氷運転を繰り返して氷塊Ｉを生成し得るようになっている。製氷機構１１は、図示しない製氷機本体に配設されて下向きに開口した製氷小室１２ａを多数形成した製氷室(製氷部)１２と、製氷小室１２ａを下方から開閉する水皿１４と、この水皿１４の下方に配設された製氷水ノズル部１６と、この製氷水ノズル部１６の下方に配設された製氷水タンク１８と、前記水皿１４を傾動させる水皿開閉手段２０とから構成される。製氷室１２の外面には、冷凍機構を構成する蒸発管３０が蛇行配置され、蒸発管３０を流通する冷媒またはホットガスとの熱交換によって製氷室１２が冷却または加温されるようになっている。
【００１２】
前記水皿１４は、一方の側端部が製氷機本体に対して傾動軸１４ａを介して揺動可能に支持されると共に、他方の側端部(開放側端部)の両側方に突設された一対の摺動突起(摺動部)１４ｃ,１４ｃを介して水皿開閉手段２０を構成する開閉部材２１,２１によって当接支持されている。前記摺動突起１４ｃは、円柱形状であり、周面が滑らかにされている。前記水皿１４は、水皿開閉手段２０によって製氷運転において製氷室１２を閉成して水平となる閉成位置と、除氷運転において製氷室１２から下方に傾斜した開放位置とに姿勢変位し得るようになっている。また、前記水皿１４における前記製氷室１２に対向する表面側は、熱伝導率の良い、例えば金属等の材質から形成されると共に、その製氷室１２側の表面が平滑な状態にされている。
【００１３】
更に、前記水皿１４には、図２に示す如く、前記製氷室１２を閉成した際に、該製氷室１２を区切って形成される多数の製氷小室１２ａに向けて下方から噴射供給される製氷水を受け入れ可能なように、各製氷小室１２ａに対応する位置に連通孔１４ｂが夫々穿設されている。そして、前記連通孔１４ｂの開口形状は、前記水皿１４が開放位置に傾動する際に、後述する噴射ノズル１７の挿入を水皿１４の下方から許容する形状に設定されている(図５および図６参照)。
【００１４】
前記水皿１４内には、製氷運転時に使用される製氷水を外部水源から製氷水タンク１８に供給する水路となる給水空間(貯留部)１５が画成されている(図２参照)。また水皿１４には、給水弁(給水手段)ＷＶを介して外部水源が貯留部１５に傾動軸１４ａ側で接続されると共に、該水皿１４の開放端側には下方に向けて開口する給水口(排水口)１５ａが形成されている。すなわち、前記給水弁ＷＶが開放されると、外部水源から供給される水が給水空間１５を経て、給水口１５ａから製氷水タンク１８に供給されるよう構成してある。なお、給水口１５ａの開口寸法は、前記給水弁ＷＶを介して供給される水の流量によりも少ない水を排出する寸法に設定され、水の供給を継続することで貯留部１５内に徐々に水が貯留されるようになっている。
【００１５】
前記製氷水ノズル部１６は、閉成位置に臨む前記水皿１４の連通孔１４ｂを介して製氷水を各製氷小室１２ａ内に噴射供給し得る噴射孔を有すると共に、該水皿１４が開放位置に傾動した際に、連通孔１４ｂに挿入可能となるように、位置および姿勢が設定されて上方に突出する多数の噴射ノズル１７を備えている。前記噴射ノズル１７の上方から見た形状は、図３に示す如く、製氷小室１２ａの開口形状に相似する略正方形状に設定されている。また、前記噴射ノズル１７を側方から見た形状は、前記傾動軸１４ａ側の上隅部に所要のＲ加工が施されている(図１参照)。そして、前記製氷水ノズル部１６は、開放位置に臨む水皿１４の傾斜角度と略同一とされた角度に傾斜された状態で該水皿１４の下方に配置されている。すなわち、製氷水ノズル部１６は、前記水皿１４が開放位置まで傾動すると、該製氷水ノズル部１６が水皿１４を下方から支持すると共に、前記噴射ノズル１７が連通孔１４ｂに下方から挿入された状態になる位置および姿勢に配置されている(図５参照)。なお、前記噴射ノズル１７における製氷水ノズル部１６の表面(上面)からの突出寸法は、水皿１４の厚みよりも大きく設定され、連通孔１４ｂに下方から挿入された噴射ノズル１７の上端が、該水皿１４の上方に突出するようになっている。
【００１６】
前記製氷水タンク１８は、給水弁ＷＶを介して外部水源から供給される製氷水を所要量貯留する部位であり、この製氷水タンク１８に貯留された製氷水は、製氷水ポンプＰＭによって製氷水ノズル部１６に設けた噴射ノズル(噴射孔)１７を介して製氷室１２の各製氷小室１２ａへ噴射供給される(図２における破線および実線矢印参照)。そして、各製氷小室１２ａへ噴射供給された製氷水は、製氷室１２が冷却されることにより該製氷小室１２ａで氷結され、氷結しなかった製氷水(戻る(図２における二点鎖線矢印参照)。すなわち、製氷水タンク１８に貯留された製氷水は、製氷水ポンプＰＭにより製氷室１２に循環供給されるようになっている。前記製氷水ポンプＰＭは、電気的に接続されている制御手段により駆動制御される。
【００１７】
前記水皿開閉手段２０は、前記水皿１４の開放端前方側に臨む製氷機本体に配置される回動軸２４を介して揺動可能に支持されると共に、前記水皿１４の摺動突起１４ｃ,１４ｃに摺動可能に係合する一対の開閉部材２１,２１と、額開閉部材２１に配置されて、開閉部材２１を常には水皿１４を閉成位置に向けて傾動するように付勢するための重し部２６とを備える。
【００１８】
前記開閉部材２１は、回動軸２４を挟んで一方に延在し、閉成位置の水皿１４における摺動突起１４ｃ,１４ｃの下方に臨む支持アーム(係合部)２２,２２と、回動軸２４を挟んで他方に延在する取付部２３とを備える。各支持アーム２２は、開放端に向かうにつれて上方に湾曲する所謂かぎ爪形状に形成されており(図１参照)、各摺動突起１４ｃに下方側から係合するように設定されている。支持アーム２２の形状をかぎ爪状とすることで、水皿１４が閉成位置となった際に、該水皿１４に対して開放端側に引っ張りつつ上方に押さえつける力を加え得る構成となっている。また、各支持アーム２２において前記摺動突起１４ｃが摺動する当接面２２ａは、水皿１４の傾動に伴った該摺動突起１４ｃの動きを阻害しないように滑らかな状態に設定されている。前記回動軸２４は、水皿開閉手段２０を、前記水皿１４の傾動に伴った摺動突起１４ｃ,１４ｃの軌跡に対応すると共に、該摺動突起１４ｃ,１４ｃの動きを阻害しないように、前記支持アーム２２が傾動するように配設されている。
【００１９】
前記取付部２３,２３の下端部の間には、前記重し部２６が設けられている。前記重し部２６の重量は、前記給水空間１５内に水がない状態となる製氷運転時の水皿１４の重量では、該水皿１４を閉成位置に保持するように支持アーム２２,２２が上方に向けて回動するように水皿開閉手段２０を回動付勢し、かつ給水空間１５内に流通する水が満ちた状態となる除氷運転時の水皿１４の重量に水の重量が加わったときには、水皿１４が開放位置に傾動するのを許容して水皿開閉手段２０を回動させ得るように設定される。すなわち、水皿開閉手段２０は、前記給水空間１５内に水がない状態となる製氷運転時では、前記水皿１４を閉成位置に維持するように、また給水空間１５内に流通する水が満ちた状態となる除氷運転時には、前記水皿１４が閉成位置から開放位置に傾動するのを許容するよう構成してある。
【００２０】
なお、前記両取付部２３,２３間にゲート部２７が設けられている。このゲート部２７はね水皿１４を閉成位置に保持している水皿開閉手段２０の姿勢(図１参照)において、水皿１４による氷塊Ｉの放出側(開放端側)を閉成する一方、該水皿１４が開放位置まで傾動することで回動した水皿開閉手段２０の姿勢(図６参照)において放出側を開放して、傾斜している水皿１４上を滑落する氷塊Ｉの図示しない貯氷室への放出を許容するように構成されている。
【００２１】
前記給水弁ＷＶは、製氷運転の完了を製氷検知手段(図示せず)が検知して除氷運転に切換えられることで開放制御される。また、給水弁ＷＶは、除氷運転の完了を、例えば製氷水タンク１８に取り付けたフロートスイッチ等の除氷検知手段(図示せず)が検知したときに閉成制御される。
【００２２】
(実施例の作用)
次に、実施例に係る噴射式自動製氷機１０の作用につき説明する。なお、前記製氷水タンク１８には、製氷運転を行なうのに必要な製氷水が既に貯留されているものとする。
【００２３】
前記噴射式自動製氷機１０が製氷運転を開始すると、前記水皿１４は、図１および図２に示す如く、前記製氷小室１２ａを下方から閉成する閉成位置に保持され、蒸発管３０に冷媒が循環して製氷小室１２ａの強制冷却がなされる。このとき、前記水皿開閉手段２０の支持アーム２２は、前記重し部２６の作用によって摺動突起１４ｃを介して水皿１４を開放端側に引っ張りつつ上方に押さえつけるため、閉成位置における水皿１４の姿勢固定は確実なものとなる。すなわち、製氷室１２と水皿１４との隙間から、噴射供給される製氷水が漏れ出すことはない。
【００２４】
前記製氷小室１２ａの強制冷却が開始されると、製氷水タンク１８に貯留されている製氷水が、製氷水ポンプＰＭにより噴射ノズル１７から噴射されて連通孔１４ｂを介して製氷小室１２ａ内に噴射供給される(図２における破線および実線矢印参照)。このとき、噴射ノズル１７は、該噴射ノズル１７から噴射される製氷水が連通孔１４ｂを介して製氷小室１２ａ内に供給される位置姿勢となっているので、製氷水の製氷小室１２ａへの噴射供給が好適になされる。なお、前記噴射ノズル１７から噴射された製氷水が、製氷小室１２ａ内に好適に供給されなかったり、または未氷結水は連通孔１４ｂを介して再び製氷水タンク１８に戻る際に飛散しても、貯氷室側にはゲート部２７があるため、該飛散水が貯氷室内に入り込むことはない。
【００２５】
また、前記製氷小室１２ａは冷却されているので、製氷水は製氷小室１２ａの内壁に接触して冷却された後、該水皿１４の連通孔１４ｂから流下して製氷水タンク１８に帰還する(図２における二点鎖線矢印参照)。このように製氷水が製氷水タンク１８と製氷小室１２ａとの間を循環するに伴い、製氷水の温度は徐々に下がり、その温度が０℃近くに達すると、製氷小室１２ａの内壁に製氷水の一部が氷結を始める。そして、各製氷小室１２ａ内での氷結が徐々に進行し、最終的に氷塊Ｉが生成されるに至る。
【００２６】
製氷運転が進行して製氷小室１２ａに氷塊Ｉが生成されると、図示しない製氷検知手段がこれを検知して除氷運転に切替わる。すなわち、図４に示す如く、前記蒸発管３０にホットガスを供給して製氷小室１２ａを加温すると共に、給水弁ＷＶを開放制御することによって前記給水空間１５内に水を供給し始める。そして除氷運転が進行すると、製氷小室１２ａの内壁に氷結していた氷塊Ｉが溶け始める。また、前記給水空間１５内に供給された水は、水皿１４の開放端側に設けられる前記給水口１５ａから製氷水タンク１８に流れ込んで次回の製氷運転に使用される製氷水として貯留される。なお、給水口１５ａからの排水量は、給水弁ＷＶからの給水量より少ないので、前記給水空間１５内が徐々に水で満たされて水皿１４全体の重量が増加することになる。
【００２７】
ここで製氷小室１２ａの内壁における氷塊Ｉが融解すると、水皿１４を閉成位置に保持する氷塊Ｉの氷着力がなくなる。また、水皿１４全体としての重量の増加は、該水皿１４が閉成位置から開放位置に傾動する駆動力となる。そして、前記給水空間１５に貯留される水の重量の増加によって、前記摺動突起１４ｃから支持アーム２２に加わる下向きの力が、前記重し部２６による該摺動突起１４ｃを押し上げようとする力を超えると、前記水皿１４は開放位置に向けて傾動を開始する。このとき、前記摺動突起１４ｃが接触する支持アーム２２の上側面は滑らかな状態とされているから、該水皿１４の傾動はスムーズに行なわれる。このように、氷塊Ｉの氷着力がなくなることで、重し部２６の作用によって自動的に水皿１４が開放位置に傾動するため、閉成位置から開放位置に傾動するに際して該水皿１４に駆動力を加える必要がない。
【００２８】
前記水皿１４が開放位置に傾動するに際し、図５および図６に示す如く、前記噴射ノズル１７が連通孔１４ｂに下方から挿入するに到る。このとき、水皿１４の上面に氷結している氷塊Ｉの底面に、噴射ノズル１７の上面が当接するため、該氷塊Ｉには下方から押し上げる力が掛かり、該氷塊Ｉは水皿１４から剥離される。なお、前記噴射ノズル１７において、傾動してきた水皿１４に氷結した氷塊Ｉに最初に接触する部位である傾動軸１４ａ側の上隅部はＲ形状にされているので、該氷塊Ｉの下面に当接による傷が生じて、製品価値が下がることもない。
【００２９】
また、前記給水空間１５内を常温の水が流通することで、この水と水皿１４の上面に氷結した氷塊Ｉとが熱交換して該氷塊Ｉの氷結部が溶けて水皿１４に対する氷着力は弱くなっているから、前記噴射ノズル１７による下方からの押し上げによって水皿１４の上面から氷塊Ｉが確実に離脱することになる。すなわち、季節や設置場所等の条件によって、製氷機１０に外部水源から供給される水の温度が低い場合であっても、前記噴射ノズル１７の連通孔１４ｂへの挿入によって確実かつ短時間に氷塊Ｉを水皿１４上から離脱させ得る。また、前記水皿１４の上面は滑らかになっているので、氷着している氷塊Ｉを容易に離脱させ得る。そして離脱した氷塊Ｉは、開放位置にあって傾斜した水皿１４の上面を滑落して貯氷室に放出される。なお、前記噴射ノズル１７の上方から見た形状は、製氷小室１２ａの開口形状、すなわち生成される氷塊Ｉの底面形状に相似する形状とされているので、該氷塊Ｉを上方に押し上げる力を水皿１４に氷着している該氷塊Ｉの底面隅部に対しても好適に伝達することができる。また、氷塊Ｉが貯氷室に放出される際には、前記ケート部２７は上方に回動しているため、氷塊Ｉの放出が阻害されることはない。
【００３０】
また、前記給水空間１５を流通して製氷水タンク１８に供給され、次回の製氷水となる水は、前述したように水皿１４に氷結している氷塊Ｉと熱交換することで冷やされるため、次回の製氷運転を短時間でなし得る。なお、前記水皿１４における前記製氷室１２に対向する表面側は、熱伝導率の良い、例えば金属等の材質から形成されているので、給水空間１５を流通する水と、水皿１４の上面に氷結した氷塊Ｉとの熱交換は効率的になされる。
【００３１】
前記水皿１４上から氷塊Ｉが離脱したことを除氷検知手段(図示せず)が検知すると、給水弁ＷＶが閉成制御されることで、前記給水空間１５内を満たしていた水が給水口１５ａを介して全て製氷水タンク１８に流れ込む。すなわち、前記水皿１４全体の重量が減少することになるため、前記重し部２６の作用によって水皿開閉手段２０から加えられる上向きの力に対抗できなくなり、該水皿１４は自動的に閉成位置に戻る。このとき、前記水皿開閉手段２０の支持アーム２２は、摺動突起１４ｃを介して水皿１４を開放端側に引っ張りつつ上方に押さえつけるため、閉成位置における水皿１４の姿勢固定は確実になされ、製氷運転において製氷室１２と水皿１４との間から製氷水が漏れ出すことはない。
【００３２】
(変更例)
本発明は、前述の実施例に限定されず、以下の如く変更することも可能である。
(１)実施例に係る噴射式自動製氷機１０は、重し部２６の作用によって水皿１４が開閉されていたが、本発明はこれに限定されない。例えば、図７に示す噴射式自動製氷機４０の如く、水皿開閉手段２０について重し部２６で付勢力を与えるのではなく、バネ等の弾性部材２８を用いることで付勢力を与えるようにしてもよい。この場合、弾性部材２８の付勢力は、前記給水空間１５内に水がない状態となる製氷運転時の水皿１４の重量では、該水皿１４を閉成位置に保持するように支持アーム２２,２２が上方に向けて回動するように水皿開閉手段２０を回動し、かつ給水空間１５内に流通する水が満ちた状態となる除氷運転時の水皿１４の重量に水の重量が加わったときには、水皿１４が開放位置に傾動するのを許容して水皿開閉手段２０を回動させ得るように設定される。また、図８に示す噴射式自動製氷機５０の如く、水皿１４の傾動軸１４ａ側の端部に、前記重し部２６と同様の作用を呈する重り２９を設けるようにしてもよい。なお、図８に示す重り２９に代えてバネ等の弾性部材を用いることも可能である。
【００３３】
(２)実施例に係るの噴射式自動製氷機１０は、開放位置となった水皿１４の傾斜角度に対応して製氷水ノズル部１６が配置されていたが、本発明はこれに限定されない。例えば、図９に示す噴射式自動製氷機６０の如く、水皿１４に穿設される連通孔１４ｂに対応して下方から製氷小室１２ａ内に製氷水を噴射供給し得る位置および姿勢の多数の噴射ノズル４４を備える製氷水ノズル部４２を採用してもよい。この場合、噴射ノズル４４の下方からの挿入を考慮せずに連通孔１４ｂの開口形状を設定し得るため、製氷機４０の設計自由度が向上する。
(３)実施例では、噴射ノズル１７の上方から見た外形状は略正方形の矩形形状とされ、これに対応して連通孔１４ｂの開口形状も矩形形状に設定されているが、本発明はこれに限定されない。例えば、円形状等の所要形状としてもよい。
(４)実施例では、支持アーム２２において摺動突起１４ｃを臨む側を当接面２２ａとして該摺動突起１４ｃと係合するように構成したいたが、本発明はこれに限定されない。例えば、前記支持アーム２２に対して、水皿１４を閉成位置から開放位置へ傾動する際に、摺動突起１４ｃを案内するように形成された長孔を設けるようにしてもよい。また、水皿１４側に摺動孔を設け、この摺動孔に係合する突起を支持アーム２２に設け、水皿１４を閉成位置から開放位置へ傾動案内するようにしてもよい。
【図面の簡単な説明】
【００３４】
【図１】本発明の好適な実施例に係る噴射式自動製氷機の製氷機構を一部切り欠いて示す概略図である。
【図２】実施例の製氷機における製氷運転時の様子を一部切り欠いて示す概略図である。
【図３】実施例の製氷機における製氷水ノズル部における噴射ノズルの形状を示す平面図である。
【図４】実施例の製氷機において、製氷運転によって氷塊が生成して製氷水の噴射供給が停止した様子を一部切り欠いて示す概略図である。
【図５】実施例の製氷機において、製氷運転から除氷運転に移行して水皿が傾動し、氷塊の底面と噴射ノズルの上面とが当接した様子を一部切り欠いて示す概略図である。
【図６】実施例の製氷機において、氷塊が水皿から離脱して図示しない貯氷室に放出される様子を一部切り欠いて示す概略図である。
【図７】変更例(１)に係る弾性部材により付勢力を得る噴射式自動製氷機の製氷機構を示す概略図である。
【図８】変更例(１)に係る重りにより付勢力を得る噴射式自動製氷機の製氷機構を示す概略図である。
【図９】変更例(２)に係る噴射式自動製氷機の製氷機構を示す概略図である。
【符号の説明】
【００３５】
１２  製氷室(製氷部)，１４  水皿，１４ａ  傾動軸，１４ｂ  連通孔
１５  貯留部(給水空間)，１６  製氷水ノズル部，１７  噴射ノズル
１８  製氷水タンク，２０  水皿開閉手段，２１  開閉部材
２２  係合部(支持アーム)，２４  回動軸，２６  重し部，３０  摺動部(摺動突起)
Ｉ  氷塊
【図１】
2009127943.tif 000003
【図２】
2009127943.tif 000004
【図３】
2009127943.tif 000005
【図４】
2009127943.tif 000006
【図５】
2009127943.tif 000007
【図６】
2009127943.tif 000008
【図７】
2009127943.tif 000009
【図８】
2009127943.tif 000010
【図９】
2009127943.tif 000011